(57)【特許請求の範囲】
【請求項１】
魚釣りに用いる玉網の柄であって、
振出形式に連結された複数の先細り筒状体からなり、少なくとも、前記筒状体の中で最も先端側に位置する第１筒状体、前記第１筒状体の手元側に連結される第２筒状体、前記第２筒状体の手元側に連結される第３筒状体及び最も手元側に位置する手元側筒状体を有する柄部と、
前記第１筒状体の先端側に連結される栓部材であり、先端側端面に網枠を連結可能な連結部分を有すると共に、その外周面が前記手元側筒状体の先端側内周面に嵌着可能な第１口栓と、
前記第２筒状体の先端側に連結される栓部材であり、前記第１筒状体が軸方向に貫通可能な貫通孔を有し、前記手元側筒状体内に収納可能であり且つ前記第２筒状体より手元側に連結される前記手元側筒状体以外の筒状体の先端側外径より大きく径外方向に張り出したフランジを有する第２口栓とを備え、
前記第１筒状体及び前記手元側筒状体は前記柄部を構成する他の筒状体より軸方向長さが長く設定されている玉網の柄。
【請求項２】
前記第１筒状体及び前記手元側筒状体の軸方向長さは、前記柄部を構成する他の筒状体の軸方向長さより３０〜２００ｍｍだけ長く設定されている、請求項１に記載の玉網の柄。
【発明の詳細な説明】
【０００１】
【発明の属する技術分野】
本発明は魚釣りに用いる玉網、特に、その玉網の柄に関する。
【０００２】
【従来の技術】
魚釣りを行う際に、釣竿の仕掛けに係った魚を引き上げるために玉網が用いられる。玉網は、環状の枠部と、枠部に固定される袋状の網と、枠部に連結される玉網の柄とを有している。この玉網の柄は、複数の先細りテーパの施された筒状体を順次振出形式に連結してなる柄部を有するものであり、柄部の筒状体は順次手元側の筒状体内に穂先側の筒状体が収納可能となっている。
【０００３】
このような玉網では、収納時は柄部の筒状体を順次手元側に収納したコンパクトな状態としておく。そして、釣竿の仕掛けにかかった魚を釣り上げる際に、網側を水面に向かって勢いよく差し出し、順次の筒状体を引き出して長い一本の柄部として先端の網部に魚をすくい入れる。
ところで、従来の玉網では、上述のように各筒状体を振出形式に収納して柄部をコンパクトな状態とした際に、柄部を構成する各筒状体が先端側に不用意に飛び出してしまうことがないような工夫が施されている。例えば、ある種の玉網では、柄部を構成する筒状体の中でもっとも先端側に位置する第１筒状体の先端側端部にゴム製の口栓を連結してある。この口栓の外径は最も手元側に位置する筒状体の先端側内径に合致するように設定してあり、網が固定される枠部はこの口栓の先端側に連結される。
【０００４】
このような口栓を有する玉網では、柄部の各筒状体を振出形式で収納した際には、口栓の外周面が最も手元側の筒状体の先端側内周面に嵌合して、その先端側開口の栓となるのである。
【０００５】
【発明が解決しようとする課題】
上述のような口栓を第１筒状体の先端側に配置すると、確かに、各筒状体が先端側に飛び出してしまうことがなく、振出形式に収納した際には便利である。しかし、逆に、一々口栓を取り外してから各筒状体を引きだして魚をすくい入れる必要が生じ、素早く網部を差し出して魚をその中にすくい入れることができなくなる。特に、玉網は、片手で釣竿を操作しながら他方の手で玉網自体を操作して魚をその網の中にすくい入れるものである。このため、一々口栓を取り外すような作業をすることなく片手の操作で柄部を長く引き延ばせるようにする必要がある。
【０００６】
そこで、口栓と手元側の筒状体との径を厳密に設定し嵌着程度を調整して、適度な嵌着力と素早い取り外しとの双方の要請を満たすような工夫を施すことも考えられる。しかしながら、径の調整は煩雑であり、温度・湿度等にも影響されることになるので、必ずしも十分な効果を得られていない。
本発明の課題は、柄部を構成する各筒状体を安定した状態で収納し得るとともに、素早く筒状体を伸ばして使用できる玉網の柄を提供することにある。
【０００７】
発明１の玉網の柄は、魚釣りに用いる玉網を構成する柄であって、振出形式に連結された複数の先細り筒状体からなり、少なくとも、筒状体の中で最も先端側に位置する第１筒状体，第１筒状体の手元側に連結される第２筒状体，第２筒状体の手元側に連結される第３筒状体及び最も手元側に位置する手元側筒状体を有する柄部と、第１筒状体の先端側に連結される栓部材であり、先端側端面に網枠を連結可能な連結部分を有すると共に、その外周面が前記手元側筒状体の先端側内周面に嵌着可能な第１口栓と、第２筒状体の先端側に連結される栓部材であり、第１筒状体が軸方向に貫通可能な貫通孔を有し、手元側筒状体内に収納可能であり且つ第２筒状体より手元側に連結される手元側筒状体以外の筒状体の先端側外径より大きく径外方向に張り出したフランジを有する第２口栓とを備えている。そして、この第１筒状体及び手元側筒状体は柄部を構成する他の筒状体より軸方向長さが長く設定されている。
【０００８】
この玉網の柄は、第１口栓に網枠を連結して網として用いられるものである。この玉網の柄の柄部を構成する第１筒状体から順次手元側筒状体内に振出形式に各筒状体が収納されてコンパクトな状態となる。この状態においては、第１筒状体は第２筒状体の第２口栓の貫通孔を挿通して第２筒状体内に収納される。なお、第１筒状体と手元側筒状体は他の筒状体に比べて軸方向長さが長く設定されており、この収納された状態では、他の筒状体に比較して第１筒状体と手元側筒状体との先端側が先端に突出した状態となっている。そして、第１筒状体の先端側の第１口栓の外周面が手元側筒状体の先端側内周面に嵌着し、手元側筒状体の先端側を塞いで、内部に収納される他の筒状体が先端側に飛び出してしまうのを抑えている。
【０００９】
その後、釣竿の仕掛けに魚が係って仕掛けを巻きあげて網枠部の網に魚をすくい入れる際には、釣人は、上述のようにコンパクトな状態にされている玉網の柄部を（手元側筒状体を）把持したまま、勢いよく先端側に振り出して、各筒状体を先端側に引き延ばすことができる。即ち、勢いよく先端側に柄部を振り出すと、手元側筒状体内に収納されている筒状体が先端側に振り出されてくる。そして、これらの筒状体（例えば、第３筒状体）を第２筒状体の第２口栓のフランジが受け、これらの筒状体と第２筒状体とが一体となって手元側筒状体内を先端側に勢いよく移動し、第１口栓に当たって第１口栓の手元側筒状体への嵌着を解除する。第１口栓の手元側筒状体への嵌着が解除されることで、各筒状体が順次先端側に引き出され、一本の長い柄部となるのである。
【００１０】
発明２の玉網の柄は、発明１の柄であって、第１筒状体及び手元側筒状体の軸方向長さは、柄部を構成する他の筒状体の軸方向長さより３０〜２００ｍｍだけ長く設定されている。
この玉網の柄では、第１筒状体及び手元側筒状体の軸方向長さが他の筒状体より所定分だけ長く設定されることで、手元側筒状体内に収納される他の筒状体が第１口栓に当たるまでの滑走距離が十分に確保される。よって、第１口栓の手元側筒状体への嵌着の解除が円滑になる。
【００１１】
【発明の実施の形態】
本発明の一実施形態について図面を参照しつつ説明する。本発明の一実施形態を採用した玉網は、図１〜３に示すように、環状の枠に網が取り付けられた網枠部１と、これに連結されている玉網の柄とからなる。この玉網の柄は、複数の筒状体からなる柄部２と、柄部２の先端と網枠部１とを連結するための第１口栓３とを有している。
【００１２】
網枠部１は、ステンレス合金やチタン合金等からなる金属製部材を環状に折り曲げて形成した枠部分を、ナイロン繊維等からなる糸を網目状の編み込んでなる略円筒型の網の開口縁に通して、枠と網とを組み合わせたものである。また、枠部分は環状の外周面に形成され外周方向に開口した溝部を有し、網の開口縁が係止されている金属製またはナイロン製の芯線がこの溝部に嵌入され締め付けられることで、網が枠部分に固定されている。また、この枠部分の一部に雄ねじ等が形成され、この雄ねじ部が第１口栓３に連結される。
【００１３】
柄部２は、例えば、４つの筒状体（第１筒状体１１〜第４筒状体１４）を順次連結してなる部分である。柄部２の最も手元側に位置する太径の第４筒状体１４の手元側端部には底栓４が脱着自在に装着されている。各筒状体１１〜１４は、それぞれ炭素繊維等の強化繊維に合成樹脂を含浸させた繊維強化樹脂を芯材に巻回して焼成して製造する先細り筒状部材である。これらはいわゆる振出形式で連結されており、順次手元側の筒状体内に収納可能である。即ち、これらの第１筒状体１１〜第３筒状体１３の手元側端部外周面はそれぞれ嵌合雄部となっており、順次各筒状体を引きだして引き延ばした際に、順次手元側の筒状体の先端側端部内周面に嵌合され、若しくは、少なくとも先端側に抜け出してしまうことがないようになっている。このような各筒状体１１〜１４の外径の先細りテーパは一定のテーパ率に設定されており、各筒状体１１〜１４の外径は順次先端側ほど小径化している。
【００１４】
また、これらの各筒状体において、第１筒状体１１と第４筒状体１４、第２筒状体１２と第３筒状体１３は、それぞれ同程度の軸方向長さを有し、第１筒状体１１と第４筒状体１４は、第２筒状体１２及び第３筒状体１３に比べて凡そ３０〜２００ｍｍ程度の長い軸方向長さを有している。図２に示すように、第１口栓３は、例えば、ウレタンゴム等のゴム製素材から構成され、柄部２の最も先端側に位置する第１筒状体１１の先端側端部に連結される栓部材である。手元側に突出する突起が第１筒状体１１の先端側端部に挿入された状態で、第１口栓３は第１筒状体１１に連結されている。なお、第１口栓３と第１筒状体１１とはねじ式で連結するようにしてもよい。また、網枠部１の枠の一部に設けられる雄ねじ部が螺合するねじ穴が先端側に形成される。なお、この実施形態では、このねじ穴を形成する部分については別途硬質合成樹脂等で成型し、その周りをゴム材から成形してある。
【００１５】
この第１口栓３の手元側の外径は第４筒状体１４の先端側内径に合致するように設定されており、且つ、周方向に間隔を隔てて軸方向に伸びる複数の凹溝が形成されている（図３参照）。後述のように、収納状態においては、この第１口栓３の外周面が第４筒状体１４の先端側に挿入されて嵌着する。一方、第２筒状体１２の先端側には第２口栓５が装着されている。この第２口栓５は、第１口栓３と同様にゴム材からなり軸方向に貫通孔を有しており、第２筒状体１２の先端側に挿入されて固定されている。この貫通孔は上記第１筒状体１１が挿通可能なものである。また、この第２口栓５は、第４筒状体１４内に収納可能であり且つ第３筒状体１３の先端側外径より大きい径を有するフランジ５ａが設けられている。また、このフランジ５ａの周縁は手元側に折り曲げられている。
【００１６】
このように構成された玉網の柄の柄部にあっては、第１筒状体１１から順次第４筒状体１４内へ振出形式に各筒状体が収納されてコンパクトな状態となる。この状態においては、第１筒状体１１は第２筒状体１２の第２口栓５の貫通孔を挿通して第２筒状体１２内に収納される。そして、各筒状体は手元側が同位置に（底栓４の前に）揃えられ、結果的に、第２筒状体１２と第３筒状体１３に比べて、第１筒状体１１と第４筒状体１４との先端側が先端側に突出した状態となっている。そして、第１筒状体１１の先端側の第１口栓３の外周面が第４筒状体１４の先端側内周面に嵌着し、第４筒状体１４の先端側を塞いで、内部に収納される他の筒状体が先端側に飛び出してしまうのを抑えている（図２参照）。
【００１７】
その後、釣竿の仕掛けに魚が係って仕掛けを巻きあげて網枠部１の網に魚をすくい入れる際には、釣人は、上述のようにコンパクトな状態にされている玉網の柄の柄部２の第４筒状体１４把持したまま、勢いよく先端側に振り出して、各筒状体を先端側に引き延ばす。即ち、勢いよく先端側に柄部２を振り出すと、第４筒状体１４内に収納されている筒状体が先端側に振り出されてくる。つまり、先端側に振り出されてくる第３筒状体１３を第２口栓５のフランジ５ａがこれを受け、第３筒状体１３と第２筒状体１２とが一体となって、第４筒状体１４内を先端側に勢いよく移動する（図３（ａ）参照）。そして、第１口栓３に当たって第１口栓３を先端側へ押しだして、第１口栓３の第４筒状体１４への嵌着を解除する（図３（ｂ）参照）。上述のように、筒状体同士の軸方向長さに所定の差異が設けられており、第３筒状体１３と第２筒状体１２との助走距離が十分に保たれている。このようにして第１口栓３の第４筒状体１４への嵌着が解除されることで、各筒状体が順次先端側に引き出され、一本の長い柄部２となる。
【００１８】
［他の実施形態］
（ａ）上記実施形態では、第１〜第４筒状体の４本の筒状体から柄部を形成しているが、５本，６本の筒状体を用いてもよい。例えば、５本の筒状体から柄部を構成する場合には、第２口栓５で、第３、第４筒状体を受けることになる。
（ｂ）図４に示すように、第２口栓５は、第２筒状体の先端にねじ式に固定してもよい。
【００１９】
【発明の効果】
本発明の玉網の柄は、柄部を構成する筒状体をコンパクトに収納できると共に、片手で容易に柄部を素早く引き延ばして使用できる。
【図面の簡単な説明】
【図１】本発明の一実施形態を採用した玉網の全体図。
【図２】図１の玉網の柄部の先端側の断面図。
【図３】図１の玉網の柄部の動きを示した図。
【図４】他の実施形態の図２に相当する図。
【符号の説明】
１ 網枠部
２ 柄部
３ 第１口栓
５ 第２口栓
１１〜１４ 第１〜第４筒状体
【図１】
0003818582.tif 000002
【図２】
0003818582.tif 000003
【図３】
0003818582.tif 000004
【図４】
0003818582.tif 000005